(57)【要約】【課題】本発明は、雨水の流出抑制に使用される新規の単位部材の提案にある。【解決手段】本発明は、空間構築物であって、当該空間構築物は柱形成用の部材１と梁・壁形成用の部材２からなる２つの部材の組み合わせからなり、部材１は垂直に積み重ね可能とされ、部材２は部材１間を連結し貯留空間の梁と壁を形成し、部材１は上面と下面を契合するための突部と凹部が設けられ、側面にはX、Y方向に部材２を契合するための契合部１が設けられ、部材２は直線状でその両端には前記契合部１に契合する契合部２が設けられ、部材１と部材２を契合した時、部材１上に部材１を積み重ねる時、部材１の底面が部材２の契合部２の上面に重なるように形成され、部材１を積み重ねて柱を形成し、当該柱間を部材２で契合し梁、および壁面を形成した空間構築物であり、これを用いた雨水などの流出抑制施設である。【選択図】図1
2012233321.tif 000002
【特許請求の範囲】
【請求項１】
空間構築物であって、当該空間構築物は柱形成用の部材１と梁・壁形成用の部材２からなる２つの部材の組み合せからなり、部材１は垂直に積み重ね可能とされ、部材２は部材１間を連結し貯留空間の梁と壁を形成し、部材１は上面と下面を契合するための突部と凹部が設けられ、側面にはX、Y方向に部材２を契合するための契合部１が設けられ、部材２は直線状でその両端には前記契合部１に契合する契合部２が設けられ、部材１と部材２を契合した時、部材１上に部材１を積み重ねる時、部材１の底面が部材２の契合部２の上面に重なるように形成され、部材１を積み重ねて柱を形成し、当該柱間を部材２で契合し梁、および壁面を形成した空間構築物。
【請求項２】
請求項1記載の空間構築物の最上部を部材１および部材２で形成した格子状面を天井部材で覆い、貯留空間とし、当該貯留空間を地下に形成し、周囲をシートで覆い水の貯留空間とした雨水等の流出抑制施設。
【発明の詳細な説明】
【技術分野】
【０００１】
本発明は、雨水の流出抑制施設の構築に利用される単位部材とそれを用いた雨水流出抑制技術に属する。
【背景技術】
【０００２】
雨水等の流出抑制を目的として、プラスチックなどで製造された単位部材を地下に配列充填しその周囲を適宜シートで覆った雨水貯留浸透施設が普及している。この目的のため各種の異なる形状の単位部材が例えば特開昭62-101097、特開昭62-126179、特開平9-296486、特開平10-252108、特開平10-115778、特開平11-43971、特開平11-222886などに提案且つ使用されている。いずれの方法も単位部材を地下に配列し、その周囲を透水性若しくは遮水性のシートで包み、その内部空間に雨水等を貯留する浸透・貯留施設とするものであった。
それらの単位部材に変わる新しい単位部材の提案にある。
【先行技術文献】
【特許文献】
【０００３】
【特許文献１】特開昭62-101097
【特許文献２】特開昭62-126179
【特許文献３】特開平9-296486
【特許文献４】特開平10-252108
【特許文献５】特開平10-115778
【特許文献６】特開平11-43971
【特許文献７】特開平11-222886
【発明の概要】
【発明が解決しようとする課題】
【０００４】
本発明は、雨水の流出抑制に使用される新規の単位部材の提案にある。
【課題を解決するための手段】
【０００５】
本第１の発明は、空間構築物であって、当該空間構築物は柱形成用の部材１と梁・壁形成用の部材２からなる２つの部材の組み合わせからなり、部材１は垂直に積み重ね可能とされ、部材２は部材１間を連結し貯留空間の梁と壁を形成し、部材１は上面と下面を契合するための突部と凹部が設けられ、側面にはX、Y方向に部材２を契合するための契合部１が設けられ、部材２は直線状でその両端には前記契合部１に契合する契合部２が設けられ、部材１と部材２を契合した時、部材１上に部材１を積み重ねる時、部材１の底面が部材２の契合部２の上面に重なるように形成され、部材１を積み重ねて柱を形成し、当該柱間を部材２で契合し梁、および壁面を形成した空間構築物であり、
本第２の発明は、上記空間構築物の最上部を部材１および部材２で形成した格子状面を天井部材で覆い、貯留空間とし、当該貯留空間を地下に形成し、周囲をシートで覆い水の貯留空間とした雨水等の流出抑制施設である。
【発明の効果】
【０００６】
本第１の発明は、（１）部材１の上面・下面に互いに契合可能な契合部を設けたため垂直に柱状に立てることができる。（２）部材１のX、Y方向側面に梁および壁形成用の契合部１と部材２の両端部に契合部２を設けたため柱間に格子状に梁・壁を設けることができる。（３）部材１上に部材１を積み重ねる時、部材１の底面が部材２の契合部２の上面に重なるように形成したため柱部と梁・壁の契合強度を上げることができる。
【図面の簡単な説明】
【０００７】
【図１】は、部材１の例を示す概念図である。
【図２】は、部材２の例を示す概念図である。
【図３】は、空間構築物の例を示す概念図である。
【図４】は、貯留空間を雨水の流出抑制として使用した例を示す。
【発明を実施するための形態】
【０００８】
以下本発明を、図を用いて、より詳細に説明する。
図１は、部材１の斜視図、平面図及び断面図を示す。
図に示すように部材１は、矩形盤体の表面より４本の突部が突出し、裏面には前記突部の頂部が挿入可能な凹部が設けられている。側部にX、Y方向に後述する部材２の縁部に設けた契合部２が嵌る契合部１が設けられている。
契合部１は図では部材１の側面に設けた溝であり、側面から水平に設けた水平溝と水平溝の端部（部材１の中心方向）は垂直により深く掘りこまれた垂直溝となっている。
【０００９】
図２は、部材２の例を示す概念図である。本部材２は板状であり、その両端部に部材１の側面に設けた契合部１に契合する契合部２が設けられている。契合部２は図に示すように逆Ｕ字状で水平に突出する水平部と水平部の端部に設けた上記垂直溝に嵌るように下方に垂下した垂下部から形成され、垂下部が垂直溝に嵌ることで契合をより確実としている。
【００１０】
契合部２の上面は部材１に設けた突部の下線と同じ高さとなるように形成され、部材１と部材２を契合し、更にその上部に部材１を重ねた時、部材１の下面が契合部２の上面を上から押さえ動かないように構成されている。
【００１１】
図３は、上記部材１および部材２を用いた空間構築物を示す側面図および平面図である。
図に示すように空間構築物は部材１を積み重ねた柱と、柱間を繋ぐ部材２による梁、壁から構成されている。図では梁は柱に対し等間隔に挿入しているが全部の部材１に対応して挿入することができる。要求される強度用途に合わせ部材２の挿入箇所は適宜変更することができる。また部材２は図では格子状に縦に透孔を設けているが、透孔の位置は横に設けてもよく要求される強度用途に合わせその数、大きさおよび位置を変更することができる。
【００１２】
図４は、本空間構築物（図３に示す平面図の状態）の天井部に平板を敷設し天井部を形成し、地下に埋設し、その周囲をシート類で覆い、雨水などの一時貯留として使用する流出抑制施設として使用する例を示している。
図に示すように必要な付帯設備とし、泥だめ枡、流入管、溢流管、あるいはオリフィスますを配置して雨水の流出抑制施設として利用する。
【産業上の利用可能性】
【００１３】
雨水の流出抑制施設である貯留槽、浸透槽としてあるいは雨水の有効利用を図る貯留槽として利用可能である。
【符号の説明】
【００１４】
１  部材１
２  部材２
１１  突部
１２  凹部
１３  契合部１
１４  水平溝
１５  垂直溝
２１  契合部２
２２  水平部
２３  垂下部
【図１】
2012233321.tif 000003
【図２】
2012233321.tif 000004
【図３】
2012233321.tif 000005
【図４】
2012233321.tif 000006